(57)【特許請求の範囲】
【請求項１】
前方を開放するキャビネットと、キャビネットの前方を開閉する扉体とを備え、扉体は、外扉と、断熱性を有し且つキャビネットの前方を密閉可能な内扉とを有する自動販売機において、
内扉の左右一方の略側端を中心に内扉を回動可能とする第１ヒンジ部と、内扉における第１ヒンジ部側の一側端から内扉の左右方向内側に所定間隔離れた個所を中心に内扉を回動可能とする第２ヒンジ部と、第１ヒンジ部と第２ヒンジ部とを連結する連結部材とを備え、
第１ヒンジ部は、連結部材をキャビネットに対し回動可能に連結し、
第２ヒンジ部は、連結部材と内扉とを相互に回動可能に連結する
ことを特徴とする自動販売機。
【請求項２】
前記所定間隔は外扉の略厚さ寸法に相当する
ことを特徴とする請求項１記載の自動販売機。
【請求項３】
前記第１ヒンジ部に連結部材を開方向に付勢する弾性部材を設けた
ことを特徴とする請求項１又は２記載の自動販売機。
【請求項４】
前記第２ヒンジ部に内扉を開方向に付勢する弾性部材を設けた
ことを特徴とする請求項１〜３のいずれか記載の自動販売機。
【発明の詳細な説明】
【０００１】
【発明の属する技術分野】
本発明は自動販売機に関し、特に自動販売機における内扉のヒンジ構造に関するものである。
【０００２】
【従来の技術】
自動販売機の本体は、前方を開放し、内部に商品収納機構が搭載されるキャビネットと、キャビネットの前方を開閉する扉体とから基本的に構成されている。扉体は、商品選択ボタン、硬貨投入口、商品取出口等が付設され、ユーザーインターフェース機能を実質的に担う外扉と、断熱性を有し、キャビネットの前方を密閉してキャビネット内の冷気の漏出を防止可能な内扉とを備えている。これら外扉及び内扉は、キャビネット前方の左端部（又は右端部）にそれぞれヒンジ部を介して回動可能に連結され、各ヒンジ部を中心に独立的に開閉可能とされている。
【０００３】
また、上記商品収納機構として、紙パック入り飲料等の商品を収納する引き出し式の商品収納コラムが知られている（図１の符号１２参照）。この商品収納コラムは、キャビネット内の左右方向に複数配置され、商品を装填するに際し、開扉状態のキャビネットから一の商品収納コラムが前方（手前）に引き出され、このコラムの右側（又は左側）開放部から商品が直積み収納されるようになっている。
【０００４】
この種の商品収納コラムを搭載する自動販売機においては、外扉の最大開放角度が９０度に制限されるコーナー等に設置された場合、内扉の回動の中心を、内扉の一側端部の一のヒンジ部のみに設定すると、内扉の最大開放角度は内扉が外扉の一部に接して９０度未満に制限される。このような内扉の不完全開放（９０度未満の開放）状態では、内扉が邪魔となって最もヒンジ部側の商品収納コラムの引き出しが不能となる。
【０００５】
この点を改善するため、従来、図７に略示する中折れ式の内扉７０や図８に略示するアーム回動式の内扉８０が採用されている。即ち、中折れ式は、一側端（左側端）にヒンジ部（第１ヒンジ部）７３を有する内扉７０を、ヒンジ部７３側で横幅の小さい幅狭部７１と、ヒンジ部７３とは反対側で横幅が大きい幅広部７２とに分割し、これら幅狭部７１と幅広部７２との間に第２ヒンジ部７４を介設することにより、内扉７０を、第１及び第２ヒンジ部７１、７２から二段階に回動可能とし、これによって外扉７５の最大開放角度が９０度に制限されていても、内扉７０を９０度開放可能とするものである。
【０００６】
また、アーム回動式は、内扉８０の左側端の上部及び下部と回動アーム８１の一端部（第１連結部８２）とをピン等を介して連結すると共に、回動アーム８１の他端部（第２連結部８３）とキャビネット８６の天部び底部において閉状態の内扉８２における左側端から右方向（内側）に若干離れた個所とをピン等を介して連結することにより、回動アーム８１を第２連結部８３から、内扉８０を第１連結部８２からそれぞれ回動可能とするものである。
【０００７】
【発明が解決しようとする課題】
しかし、上記中折れ式の内扉７０では、幅狭部７１と幅広部７２との間からキャビネット内の冷気が漏出し、内扉７０の気密性が損なわれるといった問題があった。
【０００８】
一方、上記アーム回動式の内扉８０では、例えば内扉８０を開放する際、まず第２連結部８３を中心に回動アーム８１を適当角度回動させ、次いで第１連結部８１を中心に内扉８０を回動させるといった具合に、内扉８０の開閉操作に手順を要し、また、第１連結部８３を中心とする第２連結部８２の回動範囲が約１８０度と広く、これによっても操作性が損なわれていた。
【０００９】
本発明は、以上の問題点に鑑みてなされたもので、その目的は、外扉の最大開放角度が９０度に制限された場合であっても内扉を９０度開放可能で、内扉の気密性及び操作性が良好な自動販売機を提供することにある。
【００１０】
【課題を解決するための手段】
上記課題を解決するため、請求項１の本発明では、前方を開放するキャビネットと、キャビネットの前方を開閉する扉体とを備え、扉体は、外扉と、断熱性を有し且つキャビネットの前方を密閉可能な内扉とを有する自動販売機において、内扉の左右一方の略側端を中心に内扉を回動可能とする第１ヒンジ部と、内扉における第１ヒンジ部側の一側端から内扉の左右方向内側に所定間隔離れた個所を中心に内扉を回動可能とする第２ヒンジ部と、第１ヒンジ部と第２ヒンジ部とを連結する連結部材とを備え、第１ヒンジ部は、連結部材をキャビネットに対し回動可能に連結し、第２ヒンジ部は、連結部材と内扉とを相互に回動可能に連結することを特徴としている。
【００１１】
本発明によれば、内扉は第１ヒンジ部と第２ヒンジ部とをそれぞれ中心にして二段階に回動可能となるため、たとえ外扉の最大開放角度が９０度に制限されていても、内扉を９０度開放することができる。また、内扉を分割するものではないため、内扉の気密性が損なわれることはなく、更に、内扉の開閉に特別な手順や操作を要することもない。
【００１２】
請求項２の本発明では、請求項１の本発明において、前記所定間隔は外扉の略厚さ寸法に相当することを特徴としている。本発明によれば、第１ヒンジ部と第２ヒンジ部との間隔を、９０度開放し内扉が９０度開放された外扉に近接する必要最小限にして、キャビネット内のヒンジ部側に生じるデッドスペース（図６の符号Ｃ参照）を最小限に押さえることができる。
【００１３】
請求項３の本発明では、請求項１又は２の本発明において、前記第１ヒンジ部に連結部材を開方向に付勢する弾性部材を設けたことを特徴としている。本発明によれば、弾性部材によって連結部材の開状態を保つことができる。
【００１４】
請求項４の本発明では、請求項１〜３の本発明において、前記第２ヒンジ部に内扉を開方向に付勢する弾性部材を設けたことを特徴としている。本発明によれば、弾性部材によって内扉の開状態を保つことができる。
【００１５】
【発明の実施の形態】
図１〜図６は本発明の一実施形態に係るもので、図１は開扉状態の自動販売機を示す斜視説明図、図２は内扉の閉状態を示す水平断面説明図、図３は図２の囲みＡ部分の拡大説明図、図４は内扉の正面説明図、図５は内扉を第１ヒンジ部のみを中心に開放した状態を示す水平断面説明図、図６は内扉を９０度開放した状態を示す水平断面説明図である。
【００１６】
自動販売機１の本体は、図１に示すように、前方のみを開放するキャビネット１０と、キャビネット１０の前方開放部（以下単に「開放部」という。）１１を開閉する扉体２０（９０度開放した状態にて示される。）とから基本的に構成されている。キャビネット１０は、図２に示すように、外箱１０ａと、内箱１０ｂ（実線によって便宜的に示す）と、外箱１０ａと内箱１０ｂとの間に充填された断熱材１０ｃとから形成されている。
【００１７】
キャビネット１０内には、商品収納機構としての引き出し式の商品収納コラム１２が左右方向に一例として４体配置されており、図１において、最も左側の商品収納コラム１２がキャビネット１０から前方（手前）にレール機構１２ａを介して引き出されている。紙パック入り飲料等の商品（図示せず）は、このように引き出されたコラム１２の右側開放部１２ｂからコラム１２内に直積み収納される。
【００１８】
扉体２０は、図示されない商品選択ボタン、硬貨投入口、商品取出口等が付設され、ユーザーインターフェース機能を実質的に担う外扉２１と、断熱性を有し、キャビネット１０の開放部１１を気密に閉鎖可能な内扉２２と、外扉２１に設けられる商品展示室（図示せず）のバックプレートを成す中扉（図示せず）とを備えている。外扉２１は、その左側端に設けられたヒンジ部２１ａを中心に回動して開閉可能となっている。また、内扉２２は以下に詳述するヒンジ機構によって開閉可能となっている。尚、図２中、符号２３は内扉２２のハンドル（便宜的に図２にのみ示す。）、１３は内扉２２とキャビネット１０との間を気密にシールするシール部材である。
【００１９】
内扉２２のヒンジ機構は、図２〜図４に示すように、閉状態の内扉２２の左側端に対応して設けられた第１ヒンジ部３０と、内扉２２における左側端から右方向（内側）に間隔Ｂ（図３参照）だけ離れた個所に対応して設けられた第２ヒンジ部４０と、第１ヒンジ部３０と第２ヒンジ部４０とを連結する連結部材としての連結板５０とから構成されている。尚、上記間隔Ｂは実質的に第１ヒンジ部３０と第２ヒンジ部４０との間の長さであり、この間隔Ｂは外扉２１の厚さ寸法を若干上回る長さに設定される。
【００２０】
第１ヒンジ部３０は、図４に示すように、連結ピン３１と、円筒状のピン受け３３を有するヒンジ３２とを上下に二組備えており、また、連結板５０の左端上下には各ヒンジ３２のピン受け３３上に同芯状に重ねられて、第１ヒンジ部３０の一部を成す円筒状のピン受け５１が連設されている。そして、ヒンジ３２をネジ３４（図３参照）によってキャビネット１０の外箱１０ａに止めると共に、連結板５０の各ピン受け５１及び各ヒンジ３２のピン受け３３に連結ピン３１を通すことにより、連結板５０は、第１ヒンジ部３０を介してキャビネット１０に対し回動可能に連結される。
【００２１】
第２ヒンジ部４０も第１ヒンジ部３０と略同様に、連結ピン４１とピン受け４３を有するヒンジ４２とを上下に二組備え、また、連結板５０の右端上下には各ヒンジ４２のピン受け４３下に同芯状に重ねられて、第２ヒンジ部４０の一部を成すピン受け５２が連設されている。そして、ヒンジ４２をネジ４４（図３参照）によって内扉２１の表面に止めると共に、各ヒンジ４２のピン受け４３及び連結板５０の各ピン受け５２に連結ピン４１を通すことにより、連結板５０と内扉２２とは、第２ヒンジ部４０を介して相互に回動可能に連結される。
【００２２】
また、図３中、符号６０は、第１ヒンジ部３０に設けた、連結板５０を第１ヒンジ部３０を中心に開方向に付勢する弾性部材としてのねじりコイルばねであり、６１は第２ヒンジ部４０に設けた、内扉２２を第２ヒンジ部を中心に開方向に付勢する弾性部材としてのねじりコイルばねである。
【００２３】
次に、自動販売機１がコーナーに設置され、外扉２１の最大開放角度が９０度に制限された場合における内扉２２の開放動作について説明する。まず、図２の閉状態にある内扉２２に対しストッパー（図示せず）を外してハンドル２３を引くと、内扉２２は第１ヒンジ部３０を中心に回動する。そして、図５に示すように、連結板５０あるいは第２ヒンジ部４０付近が開状態の外扉２１の左端裏側（図中上端右側）の角に接して、内扉２２の第１ヒンジ部３０のみを中心とする回動が制限されると、内扉２２は第２ヒンジ部４０を中心に更に回動して、図６に示すように９０度開放する。従って、内扉２２の開動作に何ら特別な手順や操作は要せず、これは内扉２２の閉動作においても同様である。尚、以上の内扉２２の開動作は、ねじりコイルばね６０、６１の作用により、ハンドル２３を介するマニュアル操作無しでほぼ自動的に行われ、これらねじりコイルばね６０、６１はまた、内扉２２を開状態に保つ働きもする。そのため、内扉２２を開状態に保つためのストッパーや作業が不要となり、商品装填時の作業性が向上する。
【００２４】
以上のようにして内扉２２が９０度開放可能となるため、図６に示すように、最も左側の商品収納コラム１２の引き出しに何ら支障はない。また、上述したように、第１ヒンジ部３０と第２ヒンジ部４０との間隔Ｂを外扉２１の略厚さ寸法に合わせたため、９０度開放した内扉２２は９０度開放されている外扉２１に近接し（図６参照）、これにより、キャビネット１０内の左側に生じるデッドスペースＣ（便宜的に広目に示す。）を最小限に押さえることができる。
【００２５】
【発明の効果】
以上述べたように、請求項１の本発明によれば、外扉の最大開放角度が９０度に制限された場合において、内扉を開放する際、内扉は第１ヒンジ部から回動し、この回動が外扉に接して制限されると、内扉は第２ヒンジ部から更に回動するといった具合に、特別な手順や操作を要することなく内扉を９０度開放することができ、閉扉時も同様に特別な手順や操作は不要である。また、内扉を分割するものではないため、内扉のキャビネットに対する気密性も良好に担保される。
【００２６】
請求項２の本発明によれば、第１ヒンジ部と第２ヒンジ部との間隔を、９０度開放し内扉が９０度開放された外扉に近接する必要最小限にして、キャビネット内のデッドスペースを最小限に押さえることができる。これにより、自動販売機の幅狭化・設置寸法の縮小を図ることができる。
【００２７】
請求項３の本発明によれば、弾性部材によって連結部材の開状態を保つことができるため、これを保つためのストッパーや作業が不要となり、商品装填時の作業性が向上する。
【００２８】
請求項４の本発明によれば、弾性部材によって内扉の開状態を保つことができるため、これを保つためのストッパーや作業が不要となり、商品装填時の作業性が向上する。
【図面の簡単な説明】
【図１】開扉状態の自動販売機を示す斜視説明図
【図２】内扉の閉状態を示す水平断面説明図
【図３】図２の囲みＡ部分の拡大説明図
【図４】内扉の正面説明図
【図５】内扉を第１ヒンジ部のみを中心に開放した状態を示す水平断面説明図
【図６】内扉を９０度開放した状態を示す水平断面説明図
【図７】従来の中折れ式の内扉を略示する説明図
【図８】従来のアーム回動式の内扉を略示する説明図
【符号の説明】
１…自動販売機、１０…キャビネット、１１…前方開放部、１２…商品収納コラム、２０…扉体、２１…外扉、２２…内扉、３０…第１ヒンジ部、４０…第２ヒンジ部、５０…連結板６０、６１…ねじりコイルばね
【図１】
0004324321.tif 000002
【図２】
0004324321.tif 000003
【図３】
0004324321.tif 000004
【図４】
0004324321.tif 000005
【図５】
0004324321.tif 000006
【図６】
0004324321.tif 000007
【図７】
0004324321.tif 000008
【図８】
0004324321.tif 000009